(57)【要約】【課題】手作業により簡単に栽培袋を引き裂くことができる安価で作業性の良い栽培袋を提供する。【解決手段】ピンホールの発生を妨げる分子配向に形成されたプラスチックフィルムからなる袋体の一端側がシールされてなる菌床栽培用袋１００であって、袋体の幅方向の中央部には通気孔１１０が形成され、通気孔１１０を覆って雑菌の侵入を防ぎ空気を通過させるフィルタ１１２が溶着され、袋体とフィルタ１１２との溶着部１１４には、フィルタ１１２を袋体のシール部１０４に向けて引き剥がす際に発生する引き剥がし応力を集中させるための応力集中部１１６が設けられていることを特徴とする。【選択図】図１
2008035807.tif 000002
【特許請求の範囲】
【請求項１】
ピンホールの発生を妨げる分子配向に形成されたプラスチックフィルムからなる袋体の一端側がシールされてなる菌床栽培用袋であって、
前記袋体の幅方向の中央部には通気孔が形成され、該通気孔を覆って雑菌の侵入を防ぎ空気を通過させるフィルタが溶着され、
前記袋体と前記フィルタとの溶着部には、前記フィルタを前記袋体の前記シール部に向けて引き剥がす際に発生する引き剥がし応力を集中させるための応力集中部が設けられていることを特徴とする菌床栽培用袋。
【請求項２】
前記溶着部は多角形状をなし、前記溶着部のコーナー部が前記応力集中部に形成されていることを特徴とする請求項１記載の菌床栽培用袋。
【請求項３】
前記溶着部は曲線溶着部と直線溶着部の組み合わせにより形成され、前記曲線溶着部と前記直線溶着部の交点部分が前記応力集中部に形成されていることを特徴とする請求項１記載の菌床栽培用袋。
【請求項４】
前記応力集中部は、前記通気孔の上方側に設けられていることを特徴とする請求項１記載の菌床栽培用袋。
【請求項５】
前記応力集中部は、前記フィルタの引き剥がし方向と直交する方向に前記通気孔の幅寸法より幅広な間隔で配設されていることを特徴とする請求項４記載の菌床栽培用袋。
【発明の詳細な説明】
【技術分野】
【０００１】
本発明は、茸類を栽培する際に用いるプラスチックフィルムからなる菌床栽培用袋に関する。
【背景技術】
【０００２】
プラスチックフィルムから成る菌床用栽培袋を用いたきのこの人工栽培が多く行なわれている。
従来の栽培袋１０は、図９に示されるようにプラスチックフィルムから成る袋体の両側端にガセット折り込み１１、１１が形成され、袋体の幅方向に熱融着して成る底シール部１２が設けられている。底シール部１２の反対側の端部は、開口部１６となり、栽培袋上部には通気孔１３が設けられ、その通気孔１３はフィルター１４で被覆されている。
【０００３】
きのこ栽培の際には、まず水分を調整したオガコ、米ぬか等の培地を栽培袋１０に詰めて高圧蒸気等により殺菌をした後、きのこ種菌の接種をして培養を行なう。
培養工程では、栽培袋１０の開口部１６は熱融着、或いは治具等によって密封されるが、栽培袋１０に設けられたフィルター１４によって菌の生育に必要な空気は供給され、雑菌の進入は阻止される。
【０００４】
また、栽培袋１０は使い捨てされるので安価であることが必要であり、出来るだけ簡単な構成で製造されることが望ましい。しかしながら、栽培袋１０には数ｋｇもの培地が充填されることもあり、底シール部１２で裂けたり破れたり、ピンホールを生じたりすることがあった。そこで、底シール部１２の破れや栽培袋１０へのピンホールの形成を防止するために、破れやピンホールが形成されやすい部分に補強部分を設けた発明が出願人による特許文献１において開示されている。
【特許文献１】特開２００４―０３３１０３号公報
【発明の開示】
【発明が解決しようとする課題】
【０００５】
出願人は、特許文献１に記載されている菌床用栽培袋を提案した後においても、鋭意研究を続けた結果、プラスチックフィルムの縦方向および横方向の引張強度比を調整することにより更に破れにくく、かつピンホールができにくい菌床用栽培袋の製造に成功し、広く世に提供していた。
【０００６】
このような栽培袋１０を用いた菌床栽培においては、培養工程の後に、培地を栽培袋から取り出して茸類を発生させる工程が必要な場合があり、このような工程においては、引き裂きやすい栽培袋１０であることが望まれる。しかしながら栽培袋１０は先述にあるように引き裂きにくく形成されているため、培地を栽培袋１０から取り出す際は刃物を用いなければならない。すなわち培地を栽培袋から取り出す際には培地等を傷つけてしまうおそれがあり、慎重な作業が要求されることになる。
このように、培地を栽培袋１０から取り出す作業は長時間にわたって行われるため、作業者にとっては非常にストレスがかかり、能率的な作業ができなくなってしまうといった課題がある。
【０００７】
本発明は、培養工程における栽培袋に要求される強度を確保しつつも、培地を栽培袋から取り出す作業において刃物を用いる必要がなく、手作業により簡単に栽培袋を引き裂くことができる安価で作業性の良い栽培袋の提案を目的としている。
【課題を解決するための手段】
【０００８】
本発明は、ピンホールの発生を妨げる分子配向に形成されたプラスチックフィルムからなる袋体の一端側がシールされてなる菌床栽培用袋であって、前記袋体の幅方向の中央部には通気孔が形成され、該通気孔を覆って雑菌の侵入を防ぎ空気を通過させるフィルタが溶着され、前記袋体と前記フィルタとの溶着部には、前記フィルタを前記袋体の前記シール部に向けて引き剥がす際に発生する引き剥がし応力を集中させるための応力集中部が設けられていることを特徴とする菌床栽培用袋である。
【０００９】
また、前記溶着部は多角形状をなし、前記溶着部のコーナー部が前記応力集中部に形成されていることを特徴とする。
また、前記溶着部は曲線溶着部と直線溶着部の組み合わせにより形成され、前記曲線溶着部と前記直線溶着部の交点部分が前記応力集中部に形成されていることを特徴とする。
また、前記応力集中部は、前記通気孔の上方側に設けられていることを特徴とする。
また、前記応力集中部は、前記フィルタの引き剥がし方向と直交する方向に前記通気孔の幅寸法より幅広な間隔で配設されていることを特徴とする。
これらにより、簡単な機構により応力集中部を形成することができるので、安価で栽培袋を提供することができる。
【発明の効果】
【００１０】
本発明に係る菌床栽培用袋によれば、相反する要件を十分に満足することができる菌床栽培用袋を提供することができる。しかも従来の菌床栽培用袋の製造設備をそのまま適用することができるので、使い勝手の良好な菌床栽培用袋を安価に提供することができる。
【発明を実施するための最良の形態】
【００１１】
以下、添付図面に基づいて本願発明にかかる菌床栽培用袋１００について説明する。図１は本実施の形態における菌床栽培用袋の正面図である。図２は菌床栽培用袋の通気孔部分の拡大図である。図３は、菌床栽培用袋からフィルタを引き剥がしている状態を示す説明図である。
図１に示すように、菌床栽培用袋１００は、ポリエチレンやポリプロピレン等の樹脂フィルムからなる薄肉チューブ１０２の両側端をガセット折りし、ガセット折りした側の一端部を溶着によりシールし、他端側が開口する袋体に形成されている。菌床栽培用袋１００はシール部１０４側が底面側となる。本実施の形態における菌床栽培用袋１００にはシール部１０４に並行して補助シール部１０６が設けられている。補助シール部１０６もまた、溶着により形成されている。
【００１２】
菌床栽培用袋１００には、薄肉チューブ１０２をガセット折りしたことにより樹脂フィルムが４枚重なった状態になっている部分を含む所定範囲を溶着した補強部１０８が設けられている。補強部１０８は、シール部１０４と補助シール部１０６の間に配設されていて、シール部１０４よりも菌床栽培用袋１００の開口部側にはみ出さないように形成されている。このように菌床栽培用袋１００に補助シール部１０６および補強部１０８を配設することにより、菌床栽培用袋１００の耐荷重強度大幅に向上させることができる。
【００１３】
菌床栽培用袋１００の開口部側には菌床栽培用袋１００の幅方向における中央部分に通気孔１１０が形成されている。通気孔１１０は円形状に形成されている。通気孔１１０には通気孔１１０を覆い、菌床栽培用袋１００の内部への雑菌の侵入を防ぎ空気を通過させるフィルタ１１２が配設されている。
フィルタ１１２は通気孔１１０を覆うことができる正方形状に形成されている。フィルタ１１２は樹脂フィルムと溶着させることにより、通気孔１１０を覆って菌床栽培用袋１００に取り付けられている。フィルタ１１２と樹脂フィルムとの溶着部１１４は、通気孔１１０を囲い込むような正方形状をなしている。また、溶着部１１４を形成する正方形の一対の側辺は、菌床栽培用袋１００の両側端縁に平行するように形成されている。
溶着部１１４により囲まれた領域は通気孔１１０の領域よりも大きく、フィルタ１１２の領域よりも小さく形成されているので、フィルタ１１２の外周縁は菌床栽培用袋１００から離反した状態になっている。
【００１４】
菌床栽培用袋１００は、インフレーション加工により薄肉チューブに形成される。従来はピンホールの発生などを防止した丈夫な菌床栽培用袋１００にするため、縦方向における引張強度と横方向における引張強度の強度比を１：１となるような分子配向となるように成形していた。本実施の形態においては、通常の栽培作業時の取り扱いにおいてはピンホール等が発生しない程度の（具体的には縦方向の引張強度が横方向の引張強度の１．３〜１．４倍程度の強度比）分子配向となるように形成されている。ここで、縦方向とは菌床栽培用袋１００の通気孔１１０からシール部１０４に向かう方向をいう。
【００１５】
このように縦方向と横方向の引張強度に差をつけることにより、菌床栽培用袋１００の一部に切込みを入れた後、菌床栽培用袋１００の引張強度が大きい方向に沿って引き剥がすように力をかければ、菌床栽培用袋１００を容易に引き裂くことができる。本実施の形態においては、横方向の引張強度よりも縦方向の引張強度の方が大きいので、菌床栽培用袋１００は縦方向に引き裂かれることになる。
本実施の形態における菌床栽培用袋１００への切込み部の形成は、菌床栽培用袋１００からフィルタ１１２を菌床栽培用袋１００から引き剥がすことにより行われる。
【００１６】
図３に示すように、作業者が菌床栽培用袋１００からフィルタ１１２の上側端部をつまんで菌床栽培用袋１００の底部側（シール部１０４側）に向けて引き剥がす操作をすると、菌床栽培用袋１００とフィルタ１１２との溶着部１１４に引き剥がし力が集中することになる。引き剥がし応力は特に溶着部１１４の上側の隅角部分に集中する。フィルタ１１２を引き剥がすことにより菌床栽培用袋１００に発生する応力が菌床栽培用袋１００の横方向において許容される引張応力を超えると、溶着部１１４の上側の隅角部分に切込みが入る。菌床栽培用袋１００に切込みが入った後、さらにフィルタ１１２を菌床栽培用袋１００の底部側に引き剥がすと、菌床栽培用袋１００は溶着部１１４の幅部分のみが他の部分から引き剥がされることになる。
【００１７】
このようにして菌床栽培用袋１００は、何ら道具を用いることなく容易に引き裂くことができるので、培養工程から茸類の発生工程に移る際に必要な菌床栽培用袋１００からの菌床の取り出し作業を非常に効率的に行うことができる。また、従来のようにカッター等の刃物を用いないため、菌床等を傷つけてしまうおそれや、作業者が怪我をしてしまうおそれもなくすことができる。
【００１８】
以上に、本実施の形態に基づいて本願発明を説明してきたが、本願発明は、本実施の形態に限定されるものではなく、他の実施形態であっても本願発明の技術的範囲に属することはもちろんである。
例えば、本実施の形態においては、菌床栽培用袋１００に補助シール部１０６や補強部１０８を配設した形態について説明しているが、菌床栽培用袋１００の樹脂フィルムにピンホールが生じない程度の十分な強度がある場合には、補助シール１０６および／または補強部１０８の配設を省略することができる。
【００１９】
また、菌床栽培用袋１００とフィルタ１１２との溶着部１１４の形態は、必ずしも正方形状に形成されていなくても良い。例えば、図４〜図６に示すような多角形状の溶着部１１４を採用しても本願発明と同様の作用効果を奏する。図４〜図６において、破線であらわれている部分が通気孔１１０であり、実線であらわされている部分がフィルタ１１２および溶着部１１４であり、一点鎖線であらわれている部分が菌床栽培用袋１００の引き裂き部分である。図４〜図６における引き剥がし応力集中部１１６は溶着部１１４の最上部にける隅角部になる。また、菌床栽培用袋１００からの引き剥がし幅は、フィルタ１１２の引き剥がし方向と直交する方向における隅角部同士の離間距離により規定される。
【００２０】
また、溶着部形状の他の形態としては、図７に示すような直線状の溶着部１１４ａと曲線状の溶着部１１４ｂの組み合わせとすることもできる。この場合、フィルタ引き剥がし時における引き剥がし応力の応力集中部は直線状の溶着部１１４ａと曲線状の溶着部１１４ｂとの交点になる。曲線状の溶着部１１４ｂを有する場合における菌床栽培用袋１００からの引き剥がし幅は、フィルタ１１２の引き剥がし方向と直交する方向における溶着部１１４の最大離間距離により規定される。
【００２１】
また、図８に示すように、フィルタ１１２の引き剥がし時における引き剥がし応力を集中させる部分は、単独に設けることもできる。この場合、応力集中部１１６はフィルタ１１２の領域内において、通気孔１１０の上端部位置よりも上方に配設される。この場合、応力集中部１１６の配設位置は単数であっても良い。
【図面の簡単な説明】
【００２２】
【図１】本実施の形態における菌床栽培用袋の正面図である。
【図２】菌床栽培用袋の通気孔部分の拡大図である。
【図３】菌床栽培用袋からフィルタを引き剥がしている状態を示す説明図である。
【図４】菌床栽培用袋とフィルタとの溶着部の他の実施形態の一例を示す説明図である。
【図５】菌床栽培用袋とフィルタとの溶着部の他の実施形態の一例を示す説明図である。
【図６】菌床栽培用袋とフィルタとの溶着部の他の実施形態の一例を示す説明図である。
【図７】菌床栽培用袋とフィルタとの溶着部の他の実施形態の一例を示す説明図である。
【図８】応力集中部の他の実施形態の一例を示す説明図である。
【図９】従来の栽培袋を示す説明図である。
【符号の説明】
【００２３】
１００  菌床栽培用袋
１０２  薄肉チューブ
１０４  シール部
１０６  補助シール部
１０８  補強部
１１０  通気孔
１１２  フィルタ
１１４  溶着部
１１６  応力集中部
【図１】
2008035807.tif 000003
【図２】
2008035807.tif 000004
【図３】
2008035807.tif 000005
【図４】
2008035807.tif 000006
【図５】
2008035807.tif 000007
【図６】
2008035807.tif 000008
【図７】
2008035807.tif 000009
【図８】
2008035807.tif 000010
【図９】
2008035807.tif 000011